(57)【要約】【課題】正しい振り子運動によるパターストロークを身につけることのできるゴルフパター用練習機を提供する。【解決手段】ゴルフパター用練習機１は、樹脂製の２つのガイドレール２，２を備えたものである。ガイドレール２は、側面が略三角形の形状を有する板状部材であり、第１端部７から第２端部８にかけて円弧状に湾曲しながら上り勾配のスロープ４を有している。スロープ４には、第１端部７から第２端部８にかけて薄板状の金属板５が設けられている。２つのガイドレール２，２は、互いに間隔ｗを空けて平行に、固定部材３によって固定されている。固定部材３は樹脂製の薄板状部材であり、ガイドレール２の第２端部８側に切り欠き部１２を設けてその切り欠き部１２に固定部材３を嵌めこみ、スロープ４と金属板５とによって挟まれるようにしてネジ１３によって固定されている。【選択図】図１
2008043519.tif 000002
【特許請求の範囲】
【請求項１】
第１端部及び第２端部を有するガイドレールを少なくとも１つ備え、
前記ガイドレールは、前記第１端部から前記第２端部に向かって上り勾配の傾斜をなすスロープを有するゴルフパター用練習機。
【請求項２】
前記スロープは、曲率半径が５００〜２０００ｍｍの円弧状に湾曲している、請求項１に記載のゴルフパター用練習機。
【請求項３】
前記スロープは、一定の傾きを有する、請求項１に記載のゴルフパター用練習機。
【請求項４】
前記スロープは、５００〜２０００ｍｍの範囲で曲率半径が変化するように円弧状に湾曲している、請求項１に記載のゴルフパター用練習機。
【請求項５】
前記スロープは、傾きが変化する、請求項１に記載のゴルフパター用練習機。
【請求項６】
前記スロープは、
曲率半径が５００〜２０００ｍｍの円弧状の少なくとも１つの湾曲と、
少なくとも１つの一定の傾きと
が組み合わされている、請求項１に記載のゴルフパター用練習機。
【請求項７】
前記ガイドレールを２つ以上備え、
各ガイドレールが互いに間隔を空けて固定されている、請求項１〜６のいずれか一項に記載のゴルフパター用練習機。
【請求項８】
前記ガイドレールのそれぞれの前記第１端部と接続する固定部材を備える、請求項７に記載のゴルフパター用練習機。
【請求項９】
前記ガイドレールを２つ有したガイドレール組立部材を備え、
前記２つのガイドレールは、それぞれの第１端部同士が接続されている、請求項１〜６のいずれか一項に記載のゴルフパター用練習機。
【請求項１０】
前記２つのガイドレールのうち、一方のガイドレールの第１端部から第２端部までの長さが、他方のガイドレールの第１端部から第２端部までの長さよりも短い、請求項９に記載のゴルフパター用練習機。
【請求項１１】
前記ガイドレール組立部材を２つ以上備え、
各ガイドレール組立部材が互いに間隔を空けて固定されている、請求項９または１０に記載のゴルフパター用練習機。
【請求項１２】
前記スロープは、すべり部材を備える、請求項１〜１１に記載のゴルフパター用練習機。
【請求項１３】
パターヘッドを保持できると共に前記スロープに沿って移動できる台車を備える、請求項１〜１１に記載のゴルフパター用練習機。
【発明の詳細な説明】
【技術分野】
【０００１】
この発明は、ゴルフパター用練習機に関する。
【背景技術】
【０００２】
従来のゴルフパター用練習機が、例えば、特許文献１に開示されている。このゴルフパター用練習機を図１５及び１６に示す。ゴルフパター用練習機１００は、ゴルフボール１０９をセットするボールセット部１０１を含み曲面状に形成されたガイド板１０２と、ガイド板１０２をその幅方向の両側で固定支持する一対の支持部１０３，１０３とを備えている。ガイド板１０２には、ボールセット部１０１に対してゴルフボール１０９の進行方向とは反対側に、図示しないパターをスイングしたときのパターヘッドのテイクバックの大きさを読み取るための目盛り部１０４が設けられている。また、一方の支持部１０３には、パターで打ったゴルフボール１０９の転がり速度を測定するために、２つのセンサ１０５，１０６を備えた距離表示部１０７が設けられている。さらに、ガイド板１０２には、距離表示部１０７において算出されたゴルフボール１０９の転がり距離を表示するための数値表示部１０８が設けられている。
【０００３】
利用者は、ゴルフボール１０９をボールセット部１０１の後方端部１０１ａに置いた後、ゴルフパター用練習機１００の側方に立ち、目盛り部１０４の基準線１０４ａの位置にパターヘッドが位置するように構え、パターヘッドを後方にテイクバックして、ゴルフボール１０９をパッティングする。ゴルフボール１０９は支持部１０３，１０３間を転がり、距離表示部１０７は、ゴルフボール１０９がセンサ１０５，１０６間を転がる時間を計測することによってゴルフボール１０９の転がり距離を算出し、数値表示部１０８にその算出値を表示させる。これにより、利用者は、パターヘッドのテイクバックの大きさとゴルフボール１０９の転がり距離とを互いに関連する数値として認識しながら練習することができる。
【０００４】
ところが、芝生の状態はゴルフ場ごとに異なるため、全てのゴルフ場においてテイクバックの大きさとゴルフボールの転がり距離との関係が同じになることはない。パッティングにおいて最も重要なことは、ゴルフボールを転がる方向に回転させること、すなわちゴルフボールに正回転を与えることである。この点について、多くのアマチュアゴルファーはインパクトでフェイス面がスクエア（飛球線に対して直角）になっておらず、左または右を向いていることで、ゴルフボールの回転が正回転になっていないことが多い。これは、多くのアマチュアゴルファーがパターヘッドを地面と水平に真っ直ぐ引いて、真っ直ぐ出すものだと誤解していることが最大の理由である。パターヘッドを低く長く地面と水平に（パターヘッドが地を這うように）移動させるストロークが正しいと誤解し、これを実践している。この打ち方では、パターヘッドがゴルフボールを水平に押し進めることで、ゴルフボールと芝生との間に摩擦抵抗が生じ、転がりの良い正回転は生まれない。また、スイング軸を移動させたり、両腕と肩のラインで形成された五角形を無理に崩して振ったりしない限り、パターヘッドを低く長く地面と水平にストロークすることは、身体の骨格構造上、無理な動きであり、再現性に乏しい。
【０００５】
一方、ほぼ全てのプロゴルファーは、首の付け根（頚椎）を基点にして、これとパターヘッドのソール部分間が円弧（円弧の曲率半径は身長やアドレスにもよるが、概ね１２００〜１５００ｍｍ、平均１３００ｍｍ前後）を描くように、パターヘッドを振り子運動させるストロークを行い、パターヘッドが最下点に達したとき、または最下点に達した直後にゴルフボールを打っている。その結果、テイクバックでフェイス面は下を向き、フォローでは上を向く振り子運動になる。この動きによって、転がりの良い正回転が生まれる。また、自然にフェイス面がスクエアに保たれることで、方向性も良くなる。
【０００６】
ゴルフボールにこのような正回転を与えるためには、正しい振り子運動によるパターストロークを身につけることが必要である。既に述べたように、パターヘッドを水平に移動する場合には、ゴルフボールとパターヘッドとが密接している間は、フェイス上の密接点は移動せず、パターヘッドがゴルフボールを押し込むようなインパクトとなるため、ゴルフボールは回転せず、密接が開放された後に衝突エネルギーの方向によってゴルフボールに回転が生じる。つまり、パターヘッドを水平に移動させるインパクトでは、ゴルフボールに与えられた衝突エネルギーは芝生の抵抗によって急激に減少し、またパターヘッド自体は単にゴルフボールに衝突エネルギーを与えるに過ぎず、パターヘッドがゴルフボールに正回転を与えることはできない。これに対して、曲率半径が１３００ｍｍの円弧を描くような振り子運動のインパクトでは、ゴルフボールとパターヘッドとが密接している間は、密接点はパターヘッドの中央部から下部へと移動する。このような密接点の移動現象によって、フェイス面とゴルフボールとの間にギア効果が生じ、ゴルフボールは正回転する。
【０００７】
【特許文献１】特開２００５−１５２０７５号公報
【発明の開示】
【発明が解決しようとする課題】
【０００８】
しかしながら、ゴルフボールに正回転を与えるような正しい振り子運動によるパターストロークを身につけることを目的としたゴルフパター用練習機は開発されていない。仮にこの目的のために従来のゴルフパター用練習機１００を用いようとすると、図１６から明らかなように、ゴルフボール１０９がガイド板１０２の最下点１０２ａよりも前方に位置しており、また、ガイド板１０２の曲面も正しい振り子運動に相当する形状ではないため、間違ったパターストロークを身につけてしまうといった問題点があった。ゴルフパター用練習機１００からガイド板１０２を取り外し、支持部１０３，１０３の斜面を利用してパターストロークの練習をしようとしても、この斜面も正しい振り子運動に相当する形状ではなく、さらに、図１６において、右側端部からゴルフボール１０９が置かれている部分までは水平であるため、同様の問題点が生じてしまう。これは、特許文献１には、パッティングにおいてゴルフボールに正回転を与えることが重要である旨の記載がないことから、ガイド板１０２及び支持部１０３の形状を最適なものに設計することができないからである。
【０００９】
この発明はこのような問題点を解決するためになされたもので、正しい振り子運動によるパターストロークを身につけることのできるゴルフパター用練習機を提供することを目的とする。
【課題を解決するための手段】
【００１０】
この発明に係るゴルフパター用練習機は、第１端部及び第２端部を有するガイドレールを少なくとも１つ備え、前記ガイドレールは、前記第１端部から前記第２端部に向かって上り勾配の傾斜をなすスロープを有する。
前記スロープは、曲率半径が５００〜２０００ｍｍの円弧状に湾曲していてもよい。
前記スロープは、一定の傾きを有してもよい。
前記スロープは、５００〜２０００ｍｍの範囲で曲率半径が変化するように円弧状に湾曲していてもよい。
前記スロープは、傾きが変化してもよい。
前記スロープは、曲率半径が５００〜２０００ｍｍの円弧状の少なくとも１つの湾曲と、少なくとも１つの一定の傾きとが組み合わされていてもよい。
前記ガイドレールを２つ以上備え、各ガイドレールが互いに間隔を空けて固定されていてもよい。
前記ガイドレールのそれぞれの前記第１端部と接続する固定部材を備えてもよい。
前記ガイドレールを２つ有したガイドレール組立部材を備え、前記２つのガイドレールは、それぞれの第１端部同士が接続されていてもよい。
前記２つのガイドレールのうち、一方のガイドレールの第１端部から第２端部までの長さが、他方のガイドレールの第１端部から第２端部までの長さよりも短くてもよい。
前記ガイドレール組立部材を２つ以上備え、各ガイドレール組立部材が互いに間隔を空けて固定されていてもよい。
前記スロープは、すべり部材を備えてもよい。
パターヘッドを保持できると共に前記スロープに沿って移動できる台車を備えてもよい。
【発明の効果】
【００１１】
この発明によれば、ゴルフパター用練習機が、第１端部及び第２端部を有するガイドレールを少なくとも１つ備え、ガイドレールは、第１端部から第２端部に向かって上り勾配の傾斜をなすスロープを有しているので、ユーザーは、パターヘッドがスロープに沿うようにして素振りをし、または実際にゴルフボールをパッティングすることにより、テイクバックでフェイス面は下を向き、フォローでは上を向くようになるので、正しい振り子運動によるパターストロークを身につけることができる。
【発明を実施するための最良の形態】
【００１２】
以下、この発明の実施の形態を添付図面に基づいて説明する。
実施の形態１．
この実施の形態１に係るゴルフパター用練習機の斜視図を図１に示す。ゴルフパター用練習機１は、樹脂製の２つのガイドレール２，２を備えたものである。ガイドレール２は、側面が略三角形の形状を有する板状部材であり、一方の端部である第１端部７と他方の端部である第２端部８とを有している。ガイドレール２は、第１端部７から第２端部８にかけて円弧状に湾曲しながら上り勾配のスロープ４を有している。すなわち、ゴルフパター用練習機１を地面に置いたときに、地面に対する第１端部７の高さｈ１は最も低く、第２端部８に向かって高さが徐々に増加し、第２端部８の高さｈ２が最も高くなっている。スロープ４の曲率半径は、５００〜２０００ｍｍであり、好ましくは１０００〜１６００ｍｍ、さらに好ましくは１２００〜１４００ｍｍである。第１端部７の高さｈ１は、０．５〜５ｍｍであり、好ましくは１．０〜４．０ｍｍ、さらに好ましくは１．５〜３．０ｍｍである。第２端部８の高さｈ２は、１０〜１５０ｍｍ、好ましくは３０〜１００ｍｍ、さらに好ましくは４０〜８０ｍｍである。また、スロープ４には、第１端部７から第２端部８にかけて薄板状の金属板５が設けられている。これにより、スロープ４が補強されると共に滑らかな湾曲形状を確保している。
【００１３】
ゴルフパター用練習機１は、２つのガイドレール２，２が互いに間隔ｗを空けて平行に、固定部材３によって固定されている。ここで、間隔ｗは、４０〜１２０ｍｍ、好ましくは５０〜９０ｍｍ、さらに好ましくは５５〜７０ｍｍである。固定部材３は樹脂製の薄板状部材であり、ガイドレール２の第２端部８側に切り欠き部１２を設けてその切り欠き部１２に固定部材３を嵌めこみ、スロープ４と金属板５とによって挟まれるようにしてネジ１３によって固定されている。
【００１４】
次に、この発明の実施の形態１に係るゴルフパター用練習機の使用方法について説明する。尚、この使用方法の説明において、ユーザーは右利きであることを前提としており、左利きのユーザーは、以下の説明において、左右を逆にして理解する必要がある。
ユーザーは、まず、ガイドレール２の第１端部７が右側に、第２端部８が左側に位置するように、ガイドレール２に対向するように立つ。次に、図２に示されるように、パター９のパターヘッド９ａが第１端部７の近傍に位置するように構える。その後、パターヘッド９ａを後方にテイクバックして、第１端部７の近傍にゴルフボールが置かれていることを想定しながら素振りを行う。この際、パター９のシャフト９ｂが同一平面上を動くように、肩の回転を使って振り子運動をすることが重要である。これにより、パターヘッド９ａは、ユーザーの首の付け根を中心とした円弧Ａの軌跡を描くようになり、その結果、インパクト後にフェイス面が上を向くようになる。もし、このような正しいパターストロークができておらず、パターヘッド９ａが地面に対して平行に動くような場合には、パターヘッド９ａがガイドレール２のスロープ４に接触してしまう。
【００１５】
正しいパターストロークができるようになったら、ユーザーは、ゴルフボール６を、各ガイドレール２の第１端部７，７の間に位置するように置く。次に、身につけた正しいパターストロークで、ゴルフボール６をパッティングする。素振りどおりの正しいパターストロークでゴルフボール６をパッティングすることができた場合には、ゴルフボール６は正回転をしながら矢印Ｂの方向へ真っ直ぐ転がるため、ゴルフボール６は、２つのガイドレール２，２に接触することなくそれらの間を転がり、第２端部８，８を超えて転がり続ける。一方、正しいパターストロークでゴルフボール６をパッティングすることができなかった場合には、パターヘッド９ａがガイドレール２のスロープ４に接触してしまうか、あるいは、ゴルフボール６が真っ直ぐ転がらないので、ゴルフボール６がガイドレール２に接触してしまう。以上の方法で練習を行うことにより、正しい振り子運動によるパターストロークでパッティングができるようになる。
【００１６】
このように、ゴルフパター用練習機１は、第１端部７及び第２端部８を有するガイドレール２であって、第１端部７から第２端部８に向かって上り勾配の傾斜をなすスロープ４を有する２つのガイドレール２，２を備え、各ガイドレール２が互いに間隔を空けて平行に固定されている。このゴルフパター用練習機１を用いてパターの練習を行うことにより、インパクト後にパターヘッド９ａがガイドレール２のスロープ４に接触せずにフェイス面が上を向くようになるので、インパクト中にフェイス面とゴルフボール６との間にギア効果を生じさせてゴルフボール６に正回転を与えることができるようになる。すなわち、ユーザーは、正しい振り子運動によるパターストロークを身につけることができる。
また、スロープ４は、曲率半径が５００〜２０００ｍｍの円弧状に湾曲していることにより、パターヘッド９ａがスロープ４に沿って移動するようなパターストロークを練習できるので、正しい振り子運動によるパターストロークを身につけることができる。
【００１７】
実施の形態１では、ゴルフパター用練習機１が２つのガイドレール２，２を有していたが、この形態に限定するものではない。例えば、図３に示されるゴルフパター用練習機１０のように、１つのガイドレール２から構成されるものであってもよい。尚、ガイドレール２は、倒れにくくなるように、適当な幅を有するように形成する必要がある。
また、ガイドレールは１つまたは２つに限定するものではなく、３つ以上であってもよく、各ガイドレールが互いに間隔を空けて平行に固定されていれば、ゴルフパター用練習機１と同様の効果を得ることができる。尚、必ずしもガイドレール同士が互いに平行になるように固定する必要はなく、第１端部７，７間の間隔が第２端部８，８間の間隔よりも小さくてもよく、逆に大きくてもよい。
【００１８】
実施の形態１では、スロープが円弧状に湾曲していたが、これに限定するものではない。図４に示されるゴルフパター用練習機１５のように、ガイドレール１６のスロープ１８が、第１端部７から第２端部８に向かって一定の傾きで上り勾配を有するように形成されていてもよい。スロープ１８が円弧状に湾曲していなくても、インパクト後のフェイス面が上を向くようなパターストロークを練習することができるので、ゴルフパター用練習機１と同様の効果を得ることができる。
また、スロープが、５００〜２０００ｍｍの範囲で一定の曲率半径を有する円弧状に湾曲していたり、一定の傾きを有していたりすることに限定するものではない。スロープが、５００〜２０００ｍｍの範囲で曲率半径が変化するように円弧状に湾曲したものや、傾きが変化するもの、あるいは、曲率半径が５００〜２０００ｍｍの円弧状の少なくとも１つの湾曲と、少なくとも１つの一定の傾きとが組み合わされているものであってもよい。すなわち、スロープが第１端部７から第２端部８に向かって上り勾配の傾斜となっていれば、一定の曲率半径を有する円弧状の湾曲または一定の傾きを有するものでなくてもよい。
【００１９】
実施の形態２．
次に、この発明の実施の形態２に係るゴルフパター用練習機を説明する。尚、以下の実施の形態において、図１及び２の参照符号と同一の符号は、同一又は同様な構成要素であるので、その詳細な説明は省略する。
この発明の実施の形態２に係るゴルフパター用練習機は、実施の形態１に対して、２つのガイドレール２，２の固定方法を変更したものである。
【００２０】
図５に示されるように、ゴルフパター用練習機２０は、樹脂製の２つのガイドレール２１，２１を備えたものである。ガイドレール２１は、側面が略三角形の形状を有する板状部材であり、一方の端部である第１端部２５と他方の端部である第２端部２６とを有している。ガイドレール２１は、第１端部２５から第２端部２６にかけて円弧状に湾曲しながら上り勾配のスロープ２２を有している。２つのガイドレール２１，２１は、それぞれの第１端部２５，２５が薄板状の固定部材２３で接続されることにより、互いに間隔を空けて平行に固定されている。固定部材２３には、ゴルフボールをセットするボールセット部２４が設けられている。尚、スロープ２２の曲率半径は、実施の形態１と同じである。
【００２１】
ゴルフパター用練習機２０の使用方法については、実施の形態１と同じであるので、ユーザーは、ゴルフパター用練習機２０を用いることによって、正しい振り子運動によるパターストロークを身につけることができる。
また、実施の形態１におけるゴルフパター用練習機１０では、第２端部８側で固定部材３によって２つのガイドレール２，２を固定しているので、ゴルフボール６が固定部材３の下を通れるようにするために、ガイドレール２の長さ（第１端部７から第２端部８までの長さ）が、ある程度必要であった。これに対し、ゴルフパター用練習機２０では、第１端部２５，２５を固定部材２３によって接続することによって２つのガイドレール２１，２１を固定しているので、第２端部２６の高さをゴルフボールの直径よりも大きくする必要がない。これにより、実施の形態１に対して、ガイドレール２１の長さ（第１端部２５から第２端部２６までの長さ）を短くすることができる。
【００２２】
実施の形態３．
次に、この発明の実施の形態３に係るゴルフパター用練習機を説明する。この発明の実施の形態３に係るゴルフパター用練習機は、実施の形態１に対して、ガイドレール２の形状を変更したものである。
【００２３】
図６に示されるように、ゴルフパター用練習機４０は、樹脂製の２つのガイドレール４２，４２と、ガイドレール４２と同形状の２つの樹脂製のガイドレール４３，４３とを備えたものである。ガイドレール４２は、側面が略三角形の形状を有する板状部材であり、一方の端部である第１端部４５と他方の端部である第２端部４６とを有している。ガイドレール４３も同様に、第１端部４７と第２端部４８とを有している。ガイドレール４２は、第１端部４５から第２端部４６にかけて円弧状に湾曲しながら上り勾配のスロープ４４を有している。ガイドレール４３は、第１端部４７から第２端部４８にかけて円弧状に湾曲しながら上り勾配のスロープ４９を有している。スロープ４４，４９にはそれぞれ、第１端部４５，４７から第２端部４６，４８にかけて薄板状の金属板５が設けられている。ガイドレール４２とガイドレール４３とは、第１端部４５，４７に対して左右対称となるように、それぞれの第１端部４５，４７とが接続されて、１つのガイドレール組立部材４１を構成している。２つのガイドレール組立部材４１，４１が互いに間隔を空けて平行に、固定部材３によって固定されている。尚、スロープ４４，４９の曲率半径、第１端部４５，４７の高さ、第２端部４６，４８の高さ、及び２つのガイドレール組立部材４１，４１の間隔は、実施の形態１と同じである。
【００２４】
次に、この発明の実施の形態３に係るゴルフパター用練習機の使用方法について説明する。
ユーザーは、まず、一方のガイドレール組立部材４１に対向するように立つ。次に、図７に示されるように、パター９のパターヘッド９ａが第１端部４５，４７の近傍に位置するように構える。次に、パターヘッド９ａがスロープ４９に沿うように後方にテイクバックした後、パター９のシャフト９ｂが同一平面上を動くように、肩の回転を使って振り子運動をする。正しい振り子運動によるパターストロークができている場合には、パターヘッド９ａがスロープ４９及び４４に沿って移動し、パターヘッド９ａがユーザーの首の付け根を中心とした円弧Ａの軌跡を描く。これにより、インパクト後にフェイス面が上を向くようになる。もし、このような正しいパターストロークができておらず、パターヘッド９ａが地面に対して平行に動くような場合には、パターヘッド９ａがスロープ４４または４９に接触してしまう。
【００２５】
正しいパターストロークができるようになったら、ユーザーは、ゴルフボール６を、各ガイドレール４２の第１端部４５，４５の間に位置するように置く。次に、身につけた正しいパターストロークで、ゴルフボール６をパッティングする。素振りどおりの正しいパターストロークでゴルフボール６をパッティングすることができた場合には、ゴルフボール６は正回転をしながら矢印Ｃの方向へ真っ直ぐ転がるため、ゴルフボール６は、２つのガイドレール４２，４２に接触することなくそれらの間を転がり、第２端部４６，４６を超えて転がり続ける。一方、正しいパターストロークでゴルフボール６をパッティングすることができなかった場合には、パターヘッド９ａがガイドレール４２のスロープ４４またはガイドレール４３のスロープ４９に接触してしまうか、あるいは、ゴルフボール６が真っ直ぐ転がらないので、ゴルフボール６がガイドレール４２に接触してしまう。以上の方法で練習を行うことにより、正しい振り子運動によるパターストロークでパッティングができるようになる。
【００２６】
このように、ゴルフパター用練習機４０は、２つのガイドレール４２，４３からなるガイドレール組立部材４１を２つ備え、２つのガイドレール４２，４３は、それぞれの第１端部４５，４７同士が接続されて、第１端部４５，４７に対して左右対称に固定されている。このゴルフパター用練習機４０を用いてパターの練習を行うことにより、インパクト後にパターヘッド９ａのフェイス面が上を向くようになるので、正しい振り子運動によるパターストロークを身につけることができる。
【００２７】
実施の形態３では、２つのガイドレール４２，４３からなるガイドレール組立部材４１を２つ備えた構成であったが、この構成に限定するものではない。ガイドレール組立部材４１が１つのものであってもよいし、３つ以上のガイドレール組立部材４１からなり、各ガイドレール組立部材４１が互いに間隔を空けて平行となるように固定されているものであってもよい。尚、ガイドレール組立部材４１，４１同士は、必ずしも互いに平行に固定されていなくてもよい。
また、ガイドレール４２の形状とガイドレール４３の形状とが同一でなくてもよい。例えば、図８に示されるゴルフパター用練習機５０のように、ガイドレール組立部材５１が、ガイドレール５２とガイドレール５２よりも短い長さのガイドレール５３とからなるものであってもよい。ガイドレール５３の長さ（第１端部５７から第２端部５８までの長さ）は、ガイドレール５２の長さ（第１端部５５から第２端部５６までの長さ）の１／３〜１／２程度であれば十分である。
【００２８】
実施の形態４．
次に、この発明の実施の形態４に係るゴルフパター用練習機を説明する。この発明の実施の形態４に係るゴルフパター用練習機は、実施の形態１に対して、スロープ４にすべり部材を設けたものである。
図９に示されるように、ゴルフパター用練習機６０は、ガイドレール２のスロープ４に、すべり部材である円柱形状のコロ６１を、第１端部７近傍から、第１端部７及び第２端部８の中間付近まで、回転可能に等間隔で複数備えている。その他の構成については、実施の形態１と同じである。
【００２９】
ゴルフパター用練習機６０は主に、正しい振り子運動によるパターストロークを強制的に身につける練習に使用される。この練習は、以下の要領で行われる。まず、ユーザーは、実施の形態１と同様に、ガイドレール２に対向するように立ち、図示しないパターのパターヘッドが第１端部７に最も近いコロ６１の上に乗るように構える。次に、パターのシャフトが同一平面上を動くように肩の回転を使って振り子運動をする。すると、パターヘッドが隣のコロ６１へ次々と移動するようになる。この結果、パターヘッドはガイドレール２のスロープ４に沿った円弧を描くようになるため、ユーザーは、正しい振り子運動によるパターストロークを強制的に身につけることができる。
【００３０】
実施の形態４では、すべり部材として円柱形状のコロ６１を使用したが、これに限定するものではない。例えば、ボール形状のものを回転可能にスロープ４に設けてもよく、パターヘッドがスロープ４に沿って滑りやすくなるものであれば、どのようなものであってもよい。
また、実施の形態４では、実施の形態１のゴルフパター用練習機１のスロープ４にコロ６１を設けたが、これに限定するものではなく、実施の形態１の変形例のゴルフパター用練習機１０または１５、実施の形態２のゴルフパター用練習機２０、実施の形態３のゴルフパター用練習機４０またはその変形例のゴルフパター用練習機５０のスロープにすべり部材を設けてもよい。
【００３１】
実施の形態５．
次に、この発明の実施の形態５に係るゴルフパター用練習機を説明する。この発明の実施の形態５に係るゴルフパター用練習機は、実施の形態１に対して、スロープ４に沿って移動可能な台車を設けたものである。
図１０に示されるように、ゴルフパター用練習機７０は、ガイドレール２のスロープ４に沿って移動可能な台車７１を備えている。台車７１は、金属板５に接するように設けられた矩形薄板状の載置部材７１ａと、載置部材７１ａに対して垂直に設けられた矩形薄板状のストッパー部材７１ｂとを備えている。図１１に示されるように、ガイドレール２の両側面には、スロープ４に沿って第１端部７から第２端部８にかけて窪み部７３が設けられている。また、載置部材７１ａの下面には下方に延びると共に窪み部７３に係合可能な爪部７２が設けられている。爪部７２が窪み部７３に係合することにより、台車７１がスロープ４に沿って移動可能となっている。その他の構成については、実施の形態１と同じである。
【００３２】
ゴルフパター用練習機７０も、実施の形態４と同様に、主に正しい振り子運動によるパターストロークを強制的に身につける練習に使用される。この練習は、以下の要領で行われる。まず、ユーザーは、実施の形態１と同様に、ガイドレール２に対向するように立ち、図示しないパターのパターヘッドが２つの台車７１，７１それぞれの載置部材７１ａ，７１ａに均等に乗るように構える。次に、パターのシャフトが同一平面上を動くように肩の回転を使って振り子運動をする。すると、パターヘッドがストッパー部材７１ｂ，７１ｂを押すことによって、台車７１，７１がパターヘッドを保持したまま、スロープ４に沿って第２端部８へ向かって移動する。この結果、パターヘッドはガイドレール２のスロープ４に沿った円弧を描くようになるため、ユーザーは、正しい振り子運動によるパターストロークを強制的に身につけることができる。
【００３３】
実施の形態５では、台車７１に設けられた爪部７２とガイドレール２に形成された窪み部７３とが係合することによって台車７１がスロープ４に沿って移動できるようにしたが、このような形態に限定するものではなく、台車７１がスロープ４に沿って移動できるような構成であれば、どのようなものであってもよい。また、台車についても、実施の形態５の台車７１の形態に限定するものではなく、パターヘッドを保持できるような形状であれば、どのような形状であってもよい。
さらに、実施の形態５では、実施の形態１のゴルフパター用練習機１のスロープ４に沿って移動可能な台車を設けたが、これに限定するものではなく、実施の形態１の変形例のゴルフパター用練習機１０または１５、実施の形態２のゴルフパター用練習機２０、実施の形態３のゴルフパター用練習機４０またはその変形例のゴルフパター用練習機５０のスロープに沿って移動可能な台車を設けてもよい。
【００３４】
実施の形態１〜５では、ガイドレールの幅が一定であったが、これに限定するものではない。厳密に言うと、テイクバックやフォローにおいて、パターヘッドは若干インサイドに入るので、ガイドレールの幅が第１端部側よりも第２端部側が大きくなるようになっていてもよい。
【００３５】
実施の形態１〜５では、樹脂製のガイドレールを使用したが金属製のガイドレールであってもよい。また、樹脂製の場合には、射出成形または真空成形によって製造されたものであってもよく、金属製の場合には、鋳造等であってもよい。
また、ガイドレールは、ワイヤーで製造したものであってもよく、スロープを紐で製造したものであってもよく、スロープをレーザービームで構成してもよい。図１２〜１４にこれらの具体的な構成を示す。
【００３６】
図１２には、実施の形態１のゴルフパター用練習機１の形状に相当するものであって、ワイヤーによって製造されたゴルフパター用練習機８０を示している。ゴルフパター用練習機８０は、略三角形状の２つのガイドレール８１，８１を備えている。ガイドレール８１は第１端部８２及び第２端部８３を有し、第１端部８２から第２端部８３に向かって上り勾配のスロープ８４が形成され、スロープ８４は円弧状に湾曲している。２つのガイドレール８１，８１は、第１端部８２同士を固定するワイヤー８５と、第２端部同士を固定するワイヤー８６とによって、互いに間隔を空けて平行に固定されている。このようなゴルフパター用練習機８０でも、実施の形態１と同様の効果を得ることができる。
【００３７】
図１３には、実施の形態１のゴルフパター用練習機１の形状に相当するものであって、ワイヤー及び紐によって製造したゴルフパター用練習機９０を示している。ゴルフパター用練習機８０は、略三角形状の２つのガイドレール９１，９１を備えている。ガイドレール９１はＬ字状のワイヤーからなる本体部９２を有し、本体部９２は第１端部９３及び第２端部９４を有している。また、本体部９２の両端を結ぶと共に下方に滑らかに垂れるように紐９５を設けることによって、スロープ９６が構成されている。２つのガイドレール９１，９１は、第１端部９３同士を固定するワイヤー９７と、第２端部同士を固定するワイヤー９８とによって、互いに間隔を空けて平行となるように固定されている。このようなゴルフパター用練習機９０でも、実施の形態１と同様の効果を得ることができる。
【００３８】
図１４には、実施の形態１の変形例であるゴルフパター用練習機１０の形状に相当するものであって、レーザー発生器によって構成したゴルフパター用練習機２００を示している。ゴルフパター用練習機２００は、レーザー発生器２０１と、レーザー発生器２０１を支持する支持部材２０２とを備えている。支持部材２０２は、レーザー発生器２０１の電源となる図示しないバッテリーを収容した電源部２０３を備えている。レーザー発生器２０１は、支持部材２０２に対して、レーザー２０４の方向が変更可能となっている。レーザー２０４が地面２１０に対して適当な角度をなすように調整することにより、レーザー２０４は、一定の傾きを有するスロープを構成する。また、レーザー２０４と地面２１０との交差点２０５が第１端部を構成し、支持部材２０２が第２端部を構成することにより、レーザー発生器２０１と、支持部材２０２と、レーザー２０４とはガイドレールを構成する。このようなゴルフパター用練習機２００でも、実施の形態１と同様の効果を得ることができる。尚、電源部２０３は、バッテリーの代わりに、家庭用電源を用いることができるように、コンセントにしてもよい。
【図面の簡単な説明】
【００３９】
【図１】この発明の実施の形態１に係るゴルフパター用練習機の斜視図である。
【図２】実施の形態１に係るゴルフパター用練習機の側面図である。
【図３】実施の形態１に係るゴルフパター用練習機の変形例の斜視図である。
【図４】実施の形態１に係るゴルフパター用練習機の別の変形例の斜視図である。
【図５】実施の形態２に係るゴルフパター用練習機の斜視図である。
【図６】実施の形態３に係るゴルフパター用練習機の斜視図である。
【図７】実施の形態３に係るゴルフパター用練習機の側面図である。
【図８】実施の形態３に係るゴルフパター用練習機の変形例の斜視図である。
【図９】実施の形態４に係るゴルフパター用練習機の斜視図である。
【図１０】実施の形態５に係るゴルフパター用練習機の斜視図である。
【図１１】図１０のＸＩ−ＸＩ線に沿った断面図である。
【図１２】この発明に係るゴルフパター用練習機の変形例の斜視図である。
【図１３】この発明に係るゴルフパター用練習機の別の変形例の斜視図である。
【図１４】この発明に係るゴルフパター用練習機のさらに別の変形例の斜視図である。
【図１５】従来のゴルフパター用練習機の斜視図である。
【図１６】従来のゴルフパター用練習機の側面図である。
【符号の説明】
【００４０】
１,１０,１５,２０,３０,４０,５０,６０，７０，８０，９０，２００  ゴルフパター用練習機、２,１６,２１，３１，４２，４３，５２，５３，８１，９１  ガイドレール、７,２５，３４，４５，４７，５５，５７，８２，９３  第１端部、８,２６，３５，４６，４８，５６，５８，８３，９４  第２端部、４,１８,２２，３２，４４，４９，８４，９６  スロープ、２３  固定部材、４１，５１  ガイドレール組立部材、６１  コロ（すべり部材）、７１  台車。
【図１】
2008043519.tif 000003
【図２】
2008043519.tif 000004
【図３】
2008043519.tif 000005
【図４】
2008043519.tif 000006
【図５】
2008043519.tif 000007
【図６】
2008043519.tif 000008
【図７】
2008043519.tif 000009
【図８】
2008043519.tif 000010
【図９】
2008043519.tif 000011
【図１０】
2008043519.tif 000012
【図１１】
2008043519.tif 000013
【図１２】
2008043519.tif 000014
【図１３】
2008043519.tif 000015
【図１４】
2008043519.tif 000016
【図１５】
2008043519.tif 000017
【図１６】
2008043519.tif 000018